(57)【特許請求の範囲】
【請求項１】
複数本の端子金具と、
前記各端子金具を収容可能なコネクタハウジングと、
前記コネクタハウジングにおいて幅方向に複数並んで設けられるとともに、前記端子金具を挿入可能な第１の端子収容室と、
前記コネクタハウジングにおいて前記第１の端子収容室群と高さ方向について隣り合う位置で且つ幅方向について前記第１の端子収容室間に配設されるとともに、前記端子金具を挿入可能な第２の端子収容室と、
前記第１の端子収容室内に設けられるとともに挿入された前記端子金具に係止可能とされ、且つ前記第２の端子収容室の側方に確保された第１の撓み空間内に撓み変形可能な第１のランスと、
前記第２の端子収容室内に設けられるとともに、挿入された前記端子金具に係止可能とされ、且つ前記第１の端子収容室間に確保された第２の撓み空間内に撓み変形可能な第２のランスとを備え、
かつ、前記コネクタハウジングには、前記第１の撓み空間及び前記第２の撓み空間内に進入することで前記第１のランス及び前記第２のランスの撓みを規制可能な撓み規制部を備えるリテーナが前記端子金具の挿入方向に沿って着脱可能とされており、
前記コネクタハウジングには、前記リテーナを移動操作するための治具を挿入可能な治具挿入溝部が、前記第１の端子収容室間に位置して設けられているコネクタ。
【請求項２】
前記治具挿入溝部が前記第２の撓み空間に連通して形成されるとともに、前記リテーナには、前記治具挿入溝部に臨んで配されるとともに前記治具によって操作可能な操作部が設けられている請求項１記載のコネクタ。
【請求項３】
前記コネクタハウジングには、前記第２のランスに対して前記第２の撓み空間を空けて対向するとともに前記第２のランスが過度に撓み変形するのを規制可能な過度撓み規制部が設けられており、前記治具挿入溝部が前記過度撓み規制部を部分的に切り欠いて形成されている請求項２記載のコネクタ。
【請求項４】
前記過度撓み規制部が前記治具挿入溝部の両側に一対確保されている請求項３記載のコネクタ。
【請求項５】
前記コネクタハウジングには、前記リテーナを装着可能なリテーナ装着凹部が設けられ、このリテーナ装着凹部が、高さ方向について前記第１の端子収容室と隣り合うとともに前記第２の端子収容室の側方に位置して配されている請求項１ないし請求項４のいずれか１項に記載のコネクタ。
【請求項６】
前記リテーナ装着凹部は、前記第１の撓み空間の側方に位置して配されている請求項５記載のコネクタ。
【請求項７】
前記コネクタハウジングには、相手コネクタハウジングが嵌合可能とされるとともにその相手コネクタハウジングを嵌合状態に保持するためのロックアームが設けられており、このロックアームは、前記第１の端子収容室間に配されるとともに前記第１の端子収容室と高さ方向について部分的に重なるよう形成されている請求項１ないし請求項６のいずれか１項に記載のコネクタ。
【請求項８】
前記コネクタハウジングには、相手コネクタハウジングが嵌合可能とされており、
前記コネクタハウジングにおける前記第１の端子収容室の設置数と前記第２の端子収容室の設置数とが相違しているとともに、前記コネクタハウジングにおける前記相手コネクタハウジングとの嵌合周面が嵌合方向から見て非対称形状となっている請求項１ないし請求項７のいずれか１項に記載のコネクタ。
【発明の詳細な説明】
【技術分野】
【０００１】
本発明は、コネクタに関する。
【背景技術】
【０００２】
従来、端子金具の抜け止めを図るためのランスを有するコネクタが知られており、その一例が図５０に示されている。このものは、ハウジング１に後方から端子金具２を挿入可能な端子収容室３が上下２段に設けられるとともに、各端子収容室３の上面からは、端子金具２を抜け止めするためのランス４が設けられた構成とされる。各ランス４は、端子金具２を挿抜する際に弾性変形可能とされ、弾性変形時にはその上方に確保された撓み空間５内に退避するようになっている。
【特許文献１】特開平６−３２５８１４号公報
【発明の開示】
【発明が解決しようとする課題】
【０００３】
上記コネクタでは、端子収容室、ランス及び撓み空間が上下２段に積み重なる構造であるため、コネクタが高さ方向について長大化するという問題があった。
【０００４】
本発明は上記のような事情に基づいて完成されたものであって、小型化を図ることを目的とする。
【課題を解決するための手段】
【０００５】
本発明は、複数本の端子金具と、前記各端子金具を収容可能なコネクタハウジングと、前記コネクタハウジングにおいて幅方向に複数並んで設けられるとともに、前記端子金具を挿入可能な第１の端子収容室と、前記コネクタハウジングにおいて前記第１の端子収容室群と高さ方向について隣り合う位置で且つ幅方向について前記第１の端子収容室間に配設されるとともに、前記端子金具を挿入可能な第２の端子収容室と、前記第１の端子収容室内に設けられるとともに挿入された前記端子金具に係止可能とされ、且つ前記第２の端子収容室の側方に確保された第１の撓み空間内に撓み変形可能な第１のランスと、前記第２の端子収容室内に設けられるとともに、挿入された前記端子金具に係止可能とされ、且つ前記第１の端子収容室間に確保された第２の撓み空間内に撓み変形可能な第２のランスとを備え、かつ、前記コネクタハウジングには、前記第１の撓み空間及び前記第２の撓み空間内に進入することで前記第１のランス及び前記第２のランスの撓みを規制可能な撓み規制部を備えるリテーナが前記端子金具の挿入方向に沿って着脱可能とされており、前記コネクタハウジングには、前記リテーナを移動操作するための治具を挿入可能な治具挿入溝部が、前記第１の端子収容室間に位置して設けられている。
【０００６】
このようにすれば、第２の端子収容室が幅方向について第１の端子収容室間に配された上で、第１のランスに対応した第１の撓み空間が第２の端子収容室の側方に確保され、第２のランスに対応した第２の撓み空間が第１の端子収容室間に確保されているから、第１の撓み空間が第２の端子収容室と、第２の撓み空間が第１の端子収容室と、それぞれ高さ方向について重なる分だけ全体が小型になる。
【０００７】
治具挿入溝部を設けるに当たって、コネクタハウジングにおける第１の端子収容室間の空間を有効に利用することができ、小型化に好適となる。
【０００８】
本発明の実施態様として、次の構成が好ましい。
（１）前記治具挿入溝部が前記第２の撓み空間に連通して形成されるとともに、前記リテーナには、前記治具挿入溝部に臨んで配されるとともに前記治具によって操作可能な操作部が設けられる構成とする。このようにすれば、仮に治具挿入溝部が第２の撓み空間と非連通とされた場合と比べると、操作部が撓み規制部における第２の撓み空間内に進入する部分と近接した位置に配されるから、高さ方向についてリテーナを小型に保つことができる。
【０００９】
（２）前記コネクタハウジングには、前記第２のランスに対して前記第２の撓み空間を空けて対向するとともに前記第２のランスが過度に撓み変形するのを規制可能な過度撓み規制部が設けられており、前記治具挿入溝部が前記過度撓み規制部を部分的に切り欠いて形成される構成とする。このようにすれば、第２のランスを過度撓み規制する機能を確保した上で、治具挿入溝部を設置することができ、小型のまま高機能化を図ることができる。
【００１０】
（３）前記過度撓み規制部が前記治具挿入溝部の両側に一対確保される構成とする。このようにすれば、第２のランスに対する過度撓み規制機能を良好に発揮させることができる。
【００１１】
（４）前記コネクタハウジングには、前記リテーナを装着可能なリテーナ装着凹部が設けられ、このリテーナ装着凹部が、高さ方向について前記第１の端子収容室と隣り合うとともに前記第２の端子収容室の側方に位置して配される構成とする。このようにすれば、コネクタハウジングにおける第２の端子収容室の側方の空間を有効に利用することができ、小型化に好適となる。
【００１２】
（５）前記リテーナ装着凹部は、前記第１の撓み空間の側方に位置して配される構成とする。このようにすれば、リテーナのうちリテーナ装着凹部に装着される部分が、撓み規制部における第１の撓み空間に進入する部分の側方に隣接して配されるから、高さ方向についてリテーナを小型にまとめることができる。
【００１３】
（６）前記コネクタハウジングには、相手コネクタハウジングが嵌合可能とされるとともにその相手コネクタハウジングを嵌合状態に保持するためのロックアームが設けられており、このロックアームは、前記第１の端子収容室間に配されるとともに前記第１の端子収容室と高さ方向について部分的に重なるよう形成される構成とする。このようにすれば、ロックアームが第１の端子収容室と高さ方向について重なった分だけ、高さ方向についての小型化を図ることができる。
【００１４】
（７）前記コネクタハウジングには、相手コネクタハウジングが嵌合可能とされており、前記コネクタハウジングにおける前記第１の端子収容室の設置数と前記第２の端子収容室の設置数とが相違しているとともに、前記コネクタハウジングにおける前記相手コネクタハウジングとの嵌合周面が嵌合方向から見て非対称形状となっている構成とする。このようにすれば、コネクタハウジングに対して相手コネクタハウジングを嵌合する際、相手コネクタハウジングが正規とは異なる姿勢だった場合には、嵌合周面が嵌合方向から見て非対称形状となっているので、嵌合を規制することができる。仮に嵌合周面にリブを設置するなどして正規とは異なる姿勢での嵌合を規制するようにした場合と比べると、小型化に好適となる。
【発明の効果】
【００１５】
本発明によれば、小型化を図ることができる。
【発明を実施するための最良の形態】
【００１６】
＜実施形態＞
本発明の一実施形態を図１ないし図４９によって説明する。本実施形態では、自動車のボディ（図示せず）に固定されたブラケットＢに取り付けられるコネクタ４０と、このコネクタ４０に嵌合可能な相手コネクタ１０とを示す。なお以下では、両コネクタ１０，４０における嵌合面側を前方、その逆側（被覆電線Ｗの引き出し方向）を後方とし、また上下方向（高さ方向）については図１，図１６及び図４７などを基準とする。
【００１７】
＜相手コネクタ＞
先に相手コネクタ１０について説明する。相手コネクタ１０は、図１３に示すように、相手コネクタハウジング１１（以下、単に相手ハウジング１１という）と、相手ハウジング１１内に収容され同軸電線Ｗの端末に接続される複数本（本実施形態では３本）の相手端子金具１２と、相手ハウジング１１に取り付けられるフロントリテーナ１３とから構成される。
【００１８】
＜同軸電線＞
相手端子金具１２が接続される同軸電線Ｗは、軸心側から順に、内部導体（芯線）、内部絶縁層、外部導体（編組線）、外部被覆を同心状に備える既知の構造とされる。このうち、内部導体は、自動車の電気回路の信号線を構成し、外部導体は、同電気回路のアース線を構成する。
【００１９】
＜相手端子金具＞
相手端子金具１２は、図１０に示すように、同軸電線Ｗの内部導体に対して接続される内部導体用端子（図示せず）と、内部導体用端子の外側に配され同軸電線の外部導体に対して接続される外部導体用端子１４と、内部導体用端子と外部導体用端子１４との間に介在して両者を絶縁状態に保つための絶縁体（図示せず）とを備える。外部導体用端子１４は、略円筒型をなすとともに内部導体用端子の外側を全周にわたって取り囲む本体部１４ａと、同軸電線Ｗの端末において露出した外部導体に圧着接続される電線接続部１４ｂとを前後に繋げた構成とされる。この本体部１４ａには、コネクタ４０と嵌合されたとき端子金具４２側の外部導体用端子４５が内嵌可能とされる。このとき、内部導体用端子は、端子金具４２側の内部導体用端子（自動車の電気回路の信号線を構成する）に対して導通接触されるようになっている。また、電線接続部１４ｂは、前後に一対ずつかしめ片を備えている。
【００２０】
本体部１４ａのうち電線接続部１４ｂに連なる底板には、相手ハウジング１１のランス２０が進入可能なランス係止孔１５が開口して設けられており、その前縁にランス２０が係止可能とされる。またランス係止孔１５の前縁は、外側に叩き出されている。ランス係止孔１５の両側縁には、上下方向に沿ってスタビライザ１６が一対、立ち上がって形成されている。本体部１４ａのうちランス係止孔１５とは約９０度の角度間隔を空けた位置には、内側へ突出する一対の突起１７が対向状に設けられている。両突起１７は、コネクタ４０と嵌合されたとき、端子金具４２側の外部導体用端子４５の外面に対して接触可能とされる。
【００２１】
＜相手ハウジング＞
相手ハウジング１１は、合成樹脂製とされ、図１ないし図３に示すように、全体として略ブロック状に形成されており、その上面にはコネクタ４０側に設けられたロックアーム５２が係止可能なロック部１８が設けられている。ロック部１８は、相手ハウジング１１の上面における幅方向中央に、前後に開放する溝部１８ａを一対形成して残された部分によって構成される。ロック部１８の前面は、ロックアーム５２の乗り上げを案内すべくテーパ状に形成されている。ロック部１８の後面は、高さ方向に沿ってほぼ真っ直ぐに形成され、ここがロックアーム５２が係止される係止面となっている。
【００２２】
相手ハウジング１１には、後方から相手端子金具１２を挿入可能な相手端子収容室１９が複数室設けられている。相手端子収容室１９は、相手端子金具１２の本体部１４ａの外形に合わせて円形状をなすとともに相手ハウジング１１を前後に貫通する孔状に形成されており、後方から相手端子金具１２が個別に挿入可能とされている。相手端子収容室１９の内周壁面には、図１０に示すように、挿入される相手端子金具１２のランス係止部１５に対して弾性的に係止することでこれを抜け止め保持可能なランス２０が設けられている。ランス２０は、高さ方向（相手端子金具１２の挿抜方向と交差する方向）に沿って上下に弾性変形可能とされ、弾性変形時にはランス２０と高さ方向に隣接する位置に形成された撓み空間２１内に退避されるようになっている。
【００２３】
撓み空間２１は、相手ハウジング１１のうちランス２０に対してその撓み方向（相手端子収容室１９側とは反対側）に対向する壁を前方へ溝状に開口させることで形成されている。この撓み空間２１は、ランス２０から離間するに連れて次第に幅狭となるよう形成されており、ランス２０の両側方に対向する壁面がそれぞれテーパ状に形成されている（図１）。さらには、相手ハウジング１１のうちランス２０に対して撓み空間２１を空けて対向する位置には、ランス２０が弾性限度を超えて過度に撓み変形する手前の段階でランス２０に係合することで、ランス２０の過度撓みを規制可能な過度撓み規制部２２が設けられている。また、相手端子収容室１９の内周壁面のうち、ランス２０を挟んだ両側には、スタビライザ１６を挿通可能なスタビライザ挿通溝２３が一対前後に開口する形態で形成されている（図２）。
【００２４】
＜相手端子収容室やランスなどの配置＞
上記した相手端子収容室１９は、相手ハウジング１１において高さ方向に２段、計３室設けられており、それぞれに対応してランス２０及び撓み空間２１などが形成されている。なお、以下では相手端子収容室１９、ランス２０及び撓み空間２１に関して上下段で区別する場合には、上段のものの符号に添え字Ａを、下段のものの符号に添え字Ｂを付し、区別せずに総称する場合には、符号に添え字を付さないものとする。
【００２５】
詳しくは、相手端子収容室１９は、図１に示すように、相手ハウジング１１において上段側に２室幅方向に並んで設置された第１の相手端子収容室１９Ａと、下段側に１室設置された第２の相手端子収容室１９Ｂとからなり、第１の相手端子収容室１９Ａと第２の相手端子収容室１９Ｂとが互いに高さ方向について隣り合う位置関係とされる。そして、第２の相手端子収容室１９Ｂは、幅方向について第１の相手端子収容室１９Ａに対してずれた位置であって、両第１の相手端子収容室１９Ａ間に位置して配置されている。さらに詳しくは、第２の相手端子収容室１９Ｂは、幅方向について第１の両相手端子収容室１９Ａの中間位置に配されている。このように、各相手端子収容室１９Ａ，１９Ｂは、千鳥状に配置されており、各相手端子収容室１９Ａ，１９Ｂの中心位置が正三角形の頂点に位置する。従って、相手ハウジング１１は、両第１の相手端子収容室１９Ａに対応した上部が一定幅であるのに対し、第２の相手端子収容室１９Ｂに対応した下部が下端側に行くに連れて幅狭になっており、その外形（外周面、嵌合周面）が前方（正面、嵌合方向）から見て上下非対称形状となっている。
【００２６】
第１の相手端子収容室１９Ａ内に設置された第１のランス２０Ａは、下方、つまり第２の相手端子収容室１９Ｂ側に向けて撓み変形されるのに対し、第２の相手端子収容室１９Ｂ内に設置された第２のランス２０Ｂは、上方、つまり第１の相手端子収容室１９Ａ側に向けて撓み変形されるようになっている。つまり、第１のランス２０Ａと第２のランス２０Ｂとでは、それぞれの撓み方向が逆向きになっている。また、第１のランス２０Ａ及び第２のランス２０Ｂは、高さ方向についてほぼ同じ位置に設置されており、幅方向にほぼ一直線に並んで配されている。
【００２７】
そして、第１のランス２０Ａを逃がすための第１の撓み空間２１Ａは、高さ方向について第２の相手端子収容室１９Ｂと重なるものの幅方向について第２の相手端子収容室１９Ｂの側方にずれて配されている。一方、第２のランス２０Ｂを逃がすための第２の撓み空間２１Ｂは、高さ方向について第１の相手端子収容室１９Ａと重なるものの幅方向について両第１の相手端子収容室１９Ａの側方にずれており且つ両第１の相手端子収容室１９Ａ間に挟まれて（中間位置に）配されている。また、ロック部１８及び溝部１８ａについても、高さ方向について第１の相手端子収容室１９Ａと重なるものの幅方向について両第１の相手端子収容室１９Ａの側方にずれており且つ両第１の相手端子収容室１９Ａ間に挟まれて（中間位置に）配されている。これにより、相手端子収容室１９、ランス２０、撓み空間２１及びロック部１８（溝部１８ａ）の配置効率が良好となり、相手ハウジング１１の小型化に好適となっている。
【００２８】
＜リテーナ装着凹部＞
相手ハウジング１１の前面には、前方からフロントリテーナ１３を装着可能なリテーナ装着凹部２４が設けられている。リテーナ装着凹部２４は、相手ハウジング１１の前面から両側面にわたる範囲に形成されている。詳しくは、リテーナ装着凹部２４は、相手ハウジング１１の前面において高さ方向について各ランス２０及び各撓み空間２１に対応した範囲に、それらの並び方向である幅方向に沿って帯状に形成され、相手ハウジング１１の両側面においても前面側とほぼ同じ高さ範囲に、前方へ開放する溝状に形成されている。このリテーナ装着凹部２４によって各相手端子収容室１９の前壁のうちランス２０側を向いた部分が切り欠かれている。
【００２９】
相手ハウジング１１の両側面のうち、リテーナ装着凹部２４によって凹まされた部分には、図１及び図７に示すように、フロントリテーナ１３を取付状態に保持するための第１リテーナ保持部２５及び第２リテーナ保持部２６が設けられている。両リテーナ保持部２５，２６は、共にリテーナ装着凹部２４の側面から外方へ突出するものの、その突出高さはリテーナ装着凹部２４の深さ寸法よりも小さく設定されている。第１リテーナ保持部２５は、リテーナ装着凹部２４における前端位置に設置され、第２リテーナ保持部２６は、第１リテーナ保持部２５よりも後ろ寄りで且つ下側にずれた位置に配置されている。
【００３０】
＜フロントリテーナ＞
フロントリテーナ１３は、合成樹脂製とされ、図４ないし図６に示すように、全体としてリテーナ装着凹部２４に沿って門形をなしており、幅方向に沿って横長な主板２７と、主板２７の後面における両側端部から後方へ延出する一対の側板２８と、主板２７の後面における中間部分から後方へ突出する複数の撓み規制部２９とから構成される。
【００３１】
撓み規制部２９は、フロントリテーナ１３が相手ハウジング１１に装着されたときにランス２０の撓み空間２１内に進入することでランス２０の撓み変形を規制可能とされる。撓み規制部２９は、主板２７において幅方向に離間した位置に３つ設けられており、中央の撓み規制部２９が相手ハウジング１１における第２の撓み空間２１Ｂに対応して比較的高い位置に配されるのに対し、両側の撓み規制部２９が相手ハウジング１１における両第１の撓み空間２１Ａに対応して比較的低い位置に配されている。また、主板２７のうち、装着状態において各ランス２０に対して前方に対向する部分には、それぞれ切り欠きが２７ａ設けられており、それにより装着状態で各ランス２０が対応する各切り欠き２７ａを通して前方外部に露出するようになっている（図１４）。そして、各切り欠き２７ａを通して前方外部から各ランス２０を強制的に撓み変形させるための治具（図示せず）が挿入可能とされる。各切り欠き２７ａは、主板２７における上縁及び下縁に形成されており、高さ方向について各撓み規制部２９とは反対側に配されている。
【００３２】
両側板２８は、相手ハウジング１１の側面形状に合わせて、前方から見て途中で鈍角をなすよう屈曲した形状とされる。詳しくは、両側板２８は、上部が高さ方向に沿って真っ直ぐなのに対して下部が高さ方向に対して傾斜している。両側板２８における上部及び下部における内面（相手ハウジング１１の側面との対向面）には、図７及び図８に示すように、相手ハウジング１１側の第１リテーナ保持部２５及び第２リテーナ保持部２６に対して係止可能な第１係止部３０及び第２係止部３１がそれぞれ形成されている。両係止部３０，３１は、側板２８の内面に前後に開放する溝部を一対形成して残された部分によって構成される。第１係止部３０は、側板２８の上部における比較的後ろ寄りの位置に設置されるのに対し、第２係止部３１は、側板２８の下部において比較的前寄りの位置に設置されている。また、両側板２８の下部における後縁には、後方へ開放するとともにフロントリテーナ１３を移動操作するための治具（図示せず）を引掛け可能な操作溝部３２がそれぞれ形成されている。
【００３３】
フロントリテーナ１３は、相手ハウジング１１に対して前後に異なる２位置に選択的に保持されるようになっている。詳しくは、フロントリテーナ１３が相手ハウジング１１から前方に突き出した状態に取り付けられると、図９に示すように、第１係止部３０の前面が第１リテーナ保持部２５の後面に係止することで保持がなされる。このとき、各撓み規制部２９は、図１０に示すように、各撓み空間２１の前方に退避しており、各ランス２０の撓み変形、つまり相手端子金具１２の挿抜が許容されている。この取付位置が仮係止位置とされる。一方、フロントリテーナ１３が装着凹部２４内に嵌り込み、フロントリテーナ１３及び相手ハウジング１１の外周面がほぼ面一となった状態に取り付けられると、図１２に示すように、第２係止部３１の前面が第２リテーナ保持部２６の後面に係止することで保持がなされる。このとき、各撓み規制部２９は、図１３に示すように、各撓み空間２１内に進入して各ランス２０の撓み変形を規制する。この取付位置が本係止位置とされる。
【００３４】
＜ブラケット＞
次に、コネクタ４０が取り付けられるブラケットＢについて説明する。ブラケットＢは、図１８に示すように、導電性を有する金属製とされ、ボディとの固定箇所から片持ち状に延びる横長な板状をなしている。ブラケットＢにおける先端部近くの幅方向中央位置には、厚さ方向に貫通するロック孔Ｂａが設けられている。また、ブラケットＢの先端部には、コネクタ４０の取り付けをスムーズにするため全周にわたって面取りが施されている。
【００３５】
＜コネクタ＞
続いて、ブラケットＢに取り付けられるコネクタ４０について説明する。コネクタ４０は、図２９に示すように、コネクタハウジング４１（以下、単にハウジング４１という）と、ハウジング４１に取り付けられ同軸電線Ｗの端末に接続された複数本（本実施形態では３本）の端子金具４２と、ハウジング４１に取り付けられるフロントリテーナ４３と、ハウジング４１に取り付けられ端子金具４２の一部とブラケットＢとを電気的に接続するための複数（本実施形態では２つ）の分割アース端子４４とを備えている。このコネクタ４０は、ブラケットＢに取り付けられた状態で相手コネクタ１０と嵌合接続されるようになっている。なお、端子金具４２が接続される同軸電線Ｗの構成は、既述した相手コネクタ１０側の同軸電線Ｗと同様であるため、その説明は割愛する。
【００３６】
＜端子金具＞
端子金具４２は、図１５及び図２９に示すように、同軸電線Ｗの内部導体に対して接続される内部導体用端子（図示せず）と、内部導体用端子の外側に配され同軸電線の外部導体に対して接続される外部導体用端子４５と、内部導体用端子と外部導体用端子４５との間に介在して両者を絶縁状態に保つための絶縁体（図示せず）とを備える。外部導体用端子４５は、円筒型をなすとともに内部導体用端子の外側を全周にわたって取り囲む本体部４５ａと、同軸電線Ｗの端末において露出した外部導体に圧着接続される電線接続部４５ｂとを前後に繋げた構成とされる。
【００３７】
本体部４５ａの後端部には、本体部４５ａ及び電線接続部４５ｂに連なる底板側とは反対側に本体部４５ａを開放する形態でスタビライザ４６が一対設けられている。スタビライザ４６は、本体部４５ａの後端部における開放部分を挟んだ位置に一対対向状に配され、上下方向に沿って突出する板片状をなしている。本体部４５ａにおける上記開放部分の前縁には、ランス係止部４７が設けられており、このランス係止部４７は、本体部４５ａから径方向外側へ突出するよう叩き出されている。本体部４５ａのうちランス係止部４７とは約９０度の角度間隔を空けた位置には、一対の突起４８が外側へ突出するようそれぞれ切り起こして形成されている。また、内部導体用端子は、コネクタ４０に対して嵌合される相手コネクタ１０側の相手端子金具１２（自動車の電気回路の信号線を構成する）に対して導通接触されるようになっている。また、電線接続部４５ｂは、前後に一対ずつかしめ片を備えている。
【００３８】
＜ハウジング＞
ハウジング４１は、合成樹脂製とされ、図１６ないし図１８に示すように、大まかには、端子金具４２及び分割アース端子４４が収容される端子収容部４９と、相手コネクタ１０が嵌合されるフード部５０と、ブラケットＢが取り付けられるブラケット取付部５１とを備える。
【００３９】
フード部５０は、端子収容部４９の前端部周縁から前方へ突出するとともに、前方へ開口する略角筒状に形成されており、その内部（端子収容部４９との間）に前方から相手コネクタ１０を嵌合可能な嵌合空間が確保されている。この嵌合空間を規定するフード部５０の内周面（相手ハウジング１１との嵌合周面）は、相手ハウジング１１の外形に沿って前方（正面、嵌合方向）から見て上下非対称形状となっている。端子収容部４９及びフード部５０の上面側には、相手ハウジング１１を嵌合状態に保持するためのロックアーム５２と、ロックアーム５２の両側方位置に対向して配されるとともにロックアーム５２を保護する一対のロック保護部５３とが設けられている。
【００４０】
＜ロックアーム＞
ロックアーム５２は、図１９，図２０及び図２９に示すように、前後方向に沿って延びるアーム本体５４を有しており、その前端部にロック部１８と係止される爪状のロック係止部５５が、後端部に上方から押圧操作可能な操作部５６が設けられている。アーム本体５４は、ロック係止部５５を備える前端部が中間部分よりも幅狭に形成されるのに対し、操作部５６を備える後端部が中間部分よりも幅広に形成されている。詳しくは、アーム本体５４は、一定幅の中間部分と、中間部分と幅狭な前端部とを繋ぐとともに前端部側にかけて次第に幅寸法が小さくなる部分とを有しており、後端部が中間部分に対して段付き状に拡幅されている。アーム本体５４は、図１６に示すように、ロック係止部５５が設けられた前端部がフード部５０の上部５０ａにおける幅方向略中央位置に形成された部分的な切り欠き５０ｂ内に進入しており、そのロック係止部５５が嵌合空間内に突出して配されている。言い換えると、ロックアーム５２の一部は、フード部５０に切り欠き５０ｂを形成して確保された空間を利用して形成されている。この切り欠き５０ｂは、フード部５０及び端子収容部４９の上部を前後に貫通する形態で形成されている。
【００４１】
そして、ロックアーム５２は、図１９に示すように、その両側面が対向する両ロック保護部５３の内側面に対してそれぞれ第１のロック支持部５７によって連結されるとともに、図２０に示すように、その下面が対向する端子収容部４９及びフード部５０の上面に対して一対の第２のロック支持部５８によって連結され、各連結箇所を支点として高さ方向に沿って上下に弾性変形可能とされる。
【００４２】
詳しくは、第１のロック支持部５７は、図１６及び図１９に示すように、ロックアーム５２とロック保護部５３との間に介在し、ロックアーム５２に並行して前後に延出する形態とされ、その後端部がロックアーム５２のうち幅広な後端部のうち側端位置の前面に連結されるとともに、その前端部における側縁がロック保護部５３の内側面に対して連結されている。第１のロック支持部５７の長さ寸法は、ロックアーム５２よりも小さく、具体的には約半分程度とされており、ロック保護部５３と連結される前端部がロックアーム５２の中間部分の前端位置とほぼ同じ位置に設定されている。第１のロック支持部５７のうちロックアーム５２と連結された後端部と、ロック保護部５３と連結された前端部との間の部分が、ロックアーム５２及びロック保護部５３から切り離されるとともに弾性変形可能とされ、それによりロックアーム５２の上下の傾動変位が許容される。
【００４３】
第２のロック支持部５８は、図１６及び図２０に示すように、その下端部がフード部５０の後端部及び端子収容部４９の前端部に跨る位置で、且つフード部５０の上部５０ａにおける切り欠き５０ｂの周縁を含む位置に連結されている。両第２のロック支持部５８は、切り欠き５０ｂを挟んだ位置で幅方向について互いに対向して配されている。第２のロック支持部５８は、その上端部がロックアーム５２のアーム本体５４における中間部分の前端位置に連結されており、その位置が前後方向についてフード部５０及び端子収容部４９との連結位置と同一となっている。第２のロック支持部５８におけるフード部５０及び端子収容部４９との連結位置は、第１のロック支持部５７におけるロック保護部５３との連結位置と前後方向についてほぼ同じ位置となっている。
【００４４】
＜補強部＞
ところで、ハウジング４１を前方から見たとき、フード部５０の上部５０ａとロック保護部５３と両ロック支持部５７，５８とに囲まれた空間には、図１６に示すように、フード部５０を補強するための補強部５９が設けられている。補強部５９は、その下端部がフード部５０の上部５０ａにおける前端部に連結されるとともに、側端部がロック保護部５３における前端部に連結されている。補強部５９は、その前端面がフード部５０の前端面及びロック保護部５３の前端面と面一状をなしている。そして、第１のロック支持部５７には、図１９ないし図２１に示すように、ロックアーム５２に並行してさらに前方へ延出する延出部６０が設けられており、その延出部６０の前端部が補強部５９の上端部に連結されている。この延出部６０は、その側縁が全長にわたって隣接するロック保護部５３の内側面に対して連結されている。
【００４５】
＜ブラケット取付部＞
続いて、ブラケット取付部５１について説明する。ブラケット取付部５１は、図１６ないし図１８，及び図３３に示すように、ハウジング４１のうち、高さ方向に沿った側面に設置されており、そこに取り付けられるブラケットＢは、その板面を上下方向と一致させた姿勢となる。
【００４６】
ブラケット取付部５１は、後方へ開放する袋状に形成されており、その内部空間が後方からブラケットＢを挿入可能なブラケット用収容室５１ａとなっている。詳しくは、ブラケット取付部５１は、ハウジング４１の側面から突出する一対の側壁５１ｂと、両側壁５１ｂの突出端から内向きに張り出すとともにハウジング４１の側面と対向する張出壁５１ｃと、両張出壁５１ｃからさらに部分的に張り出して両張出壁５１ｃを連結する架橋壁５１ｄと、架橋壁５１ｄから後方へ延出するブラケット用ロック片５１ｅと、ハウジング４１の側面から突出して側壁５１ｂ及び張出壁５１ｃの前端部に連結される前止まり壁５１ｆとからなる。ブラケット用収容室５１ａは、ブラケットＢの幅寸法及び厚さ寸法に適合する大きさとされている。
【００４７】
ブラケット用ロック片５１ｅは、前後方向に沿って延びる片持ち状をなすとともに、幅方向（ブラケットＢの挿入方向と直交する方向）に沿って弾性変形可能とされている。ブラケット用ロック片５１ｅの自由端部の内面には、ロック突部がブラケット用収容室５１ａ内に突出して設けられており、このロック突部がブラケットＢのロック孔Ｂａの孔縁に係止されることで、ハウジング４１がブラケットＢに対して抜け止め状態に弾性的に保持されるようになっている（図３４）。ブラケット用ロック片５１ｅは、ブラケット取付部５１における上下方向の中央位置に配置されている。ブラケット用ロック片５１は、ブラケットＢを挿入する過程では外側に変位される。
【００４８】
＜端子収容部＞
端子収容部４９は、図１６及び図１７に示すように、略ブロック状に形成されている。端子収容部４９には、端子金具４２を収容可能な端子金具用収容室６１と、フロントリテーナ４３を装着可能なリテーナ装着凹部６２と、分割アース端子４４を収容可能な分割アース端子用収容室６３とが設けられている。このうち、分割アース端子用収容室６３については、分割アース端子４４と共に後に詳しく説明するものとし、先に端子金具用収容室６１及びリテーナ装着凹部６２について順次説明する。
【００４９】
＜端子金具用収容室＞
端子金具用収容室６１は、端子金具４２の本体部４５ａの外形に合わせて円形状をなすとともに端子収容部４９を前後に貫通する孔状に形成されており、後方から端子金具４２が個別に挿入可能とされている。端子金具用収容室６１の内周壁面には、図２９に示すように、挿入される端子金具４２のランス係止部４７に対して弾性的に係止することでこれを抜け止め保持可能なランス６４が設けられている。ランス６４によって抜け止めされた端子金具４２は、本体部４５ａの前部が嵌合空間内に突き出した状態で保持される（図３０参照）。
【００５０】
ランス６４は、高さ方向（端子金具４２の挿抜方向と交差する方向）に沿って上下に弾性変形可能とされ、弾性変形時にはランス６４と高さ方向に隣接する位置に形成された撓み空間６５内に退避されるようになっている。撓み空間６５は、ハウジング４１のうちランス６４に対してその撓み方向（端子金具用収容室６１側とは反対側）に対向する壁を前方へ溝状に開口させることで形成されている。さらには、ハウジング４１のうちランス６４に対して撓み空間６５を空けて対向する位置には、ランス６４が弾性限度を超えて過度に撓み変形する手前の段階でランス６４に係合することで、ランス６４の過度撓みを規制可能な過度撓み規制部６６が設けられている。
【００５１】
端子金具用収容室６１の内周壁面のうち、ランス６４を挟んだ両側には、図１７に示すように、スタビライザ４６を挿通可能なスタビライザ挿通溝６７が一対前後に開口する形態で形成されている。また、端子金具用収容室の内周壁面のうち、ランス６４とは約９０度の角度間隔を空けた位置には、突起４８を挿通可能な突起挿通溝６８が一対後方に開口する形態で形成されている。この突起挿通溝６８の前縁には、端子金具４２が正規深さまで挿入されたときに突起４８が係合可能とされ、これにより端子金具４２の前止まりが図られるようになっている。
【００５２】
＜端子金具用収容室やランスなどの配置＞
上記した端子金具用収容室６１は、端子収容部４９において高さ方向に２段、計３室設けられており、それぞれに対応してランス６４、撓み空間６５及び過度撓み規制部６６などが形成されている。なお、以下では端子金具用収容室６１、ランス６４、撓み空間６５及び過度撓み規制部６６に関して上下段で区別する場合には、上段のものの符号に添え字Ａを、下段のものの符号に添え字Ｂを付し、区別せずに総称する場合には、符号に添え字を付さないものとする。
【００５３】
詳しくは、端子金具用収容室６１は、図１６及び図１７に示すように、端子収容部４９において上段側に２室幅方向に並んで設置された第１の端子金具用収容室６１Ａと、下段側に１室設置された第２の端子金具用収容室６１Ｂとからなり、第１の端子金具用収容室６１Ａと第２の端子金具用収容室６１Ｂとが互いに高さ方向について隣り合う位置関係とされる。そして、第２の端子金具用収容室６１Ｂは、幅方向について第１の端子金具用収容室６１Ａに対してずれた位置であって、両第１の端子金具用収容室６１Ａ間に位置して配置されている。さらに詳しくは、第２の端子金具用収容室６１Ｂは、幅方向について第１の両端子金具用収容室６１Ａの中間位置に配されている。このように、各端子金具用収容室６１Ａ，６１Ｂは、千鳥状に配置されており、各端子金具用収容室６１Ａ，６１Ｂの中心位置が正三角形の頂点に位置する。
【００５４】
第１の端子金具用収容室６１Ａ内に設置された第１のランス６４Ａは、下方、つまり第２の端子金具用収容室６１Ｂ側に向けて撓み変形されるのに対し、第２の端子金具用収容室６１Ｂ内に設置された第２のランス６４Ｂは、上方、つまり第１の端子金具用収容室６１Ａ側に向けて撓み変形されるようになっている。つまり、第１のランス６４Ａと第２のランス６４Ｂとでは、それぞれの撓み方向が逆向きになっている。また、第１のランス６４Ａ及び第２のランス６４Ｂは、高さ方向についてほぼ同じ位置に設置されており、幅方向にほぼ一直線に並んで配されている。
【００５５】
そして、第１のランス６４Ａを逃がすための第１の撓み空間６５Ａ及び第１のランス６４Ａの過度撓みを規制するための第１の過度撓み規制部６６Ａは、高さ方向について第２の端子金具用収容室６１Ｂと重なるものの幅方向について第２の端子金具用収容室６１Ｂの側方にずれて配されている。一方、第２のランス６４Ｂを逃がすための第２の撓み空間６５Ｂ及び第２のランス６４Ｂの過度撓みを規制するための第２の過度撓み規制部６６Ｂは、高さ方向について第１の端子金具用収容室６１Ａと重なるものの幅方向について両第１の端子金具用収容室６１Ａの側方にずれており且つ両第１の端子金具用収容室６１Ａ間に挟まれて（中間位置に）配されている。また、ロックアーム５２の前端部についても、高さ方向について第１の端子金具用収容室６１Ａと重なるものの幅方向について両第１の端子金具用収容室６１Ａの側方にずれており且つ両第１の端子金具用収容室６１Ａ間に挟まれて（中間位置に）配されている。これにより、端子金具用収容室６１、ランス６４、撓み空間６５、過度撓み規制部６６及びロックアーム５２の配置効率が良好となり、ハウジング４１の小型化に好適となっている。
【００５６】
＜治具挿入溝部＞
さらには、第２の過度撓み規制部６６Ｂには、図１６及び図２９に示すように、フロントリテーナ４３を移動操作するための治具を挿入可能な治具挿入溝部６９が設けられている。治具挿入溝部６９は、第２の過度撓み規制部６６Ｂを部分的に切り欠いて形成されており、両第１の端子金具用収容室６１Ａ間に挟まれた位置（中間位置）に配されている。詳しくは、治具挿入溝部６９は、幅方向について第２の過度撓み規制部６６Ｂのほぼ中央位置に形成されるとともに、第２の過度撓み規制部６６Ｂを幅方向左右に分断（分割）して形成されている。これにより、治具挿入溝部６９の両側に一対の第２の過度撓み規制部６６Ｂが残されることになり、両第２の過度撓み規制部６６Ｂが第２のランス６４Ｂにおける幅方向両側端部に対して係合可能とされる。治具挿入溝部６９は、第２の過度撓み規制部６６Ｂを切り欠くとともに、第２の撓み空間６５Ｂに連通して形成されている。また、治具挿入溝部６９は、両第１の端子金具用収容室６１Ａ間を仕切る仕切り壁をも切り欠いて形成されており、同仕切り壁を幅方向左右に分断して形成されている。治具挿入溝部６９は、第２のランス６４Ｂの根元位置（後端位置）よりは前寄りの位置となる深さに形成されている。
【００５７】
＜リテーナ装着凹部＞
端子収容部４９の前面には、図１６に示すように、前方からフロントリテーナ４３を装着可能なリテーナ装着凹部６２が設けられている。リテーナ装着凹部６２は、端子収容部の前面における下側略半分の領域を凹ませてなる凹状部分６２ａと、凹状部分６２ａの両側端位置にて凹状部分６２ａよりも奥深く形成される溝状部分６２ｂとから構成される。凹状部分６２ａは、端子収容部４９における両第１の端子金具用収容室６１Ａよりも下側の領域のうち、各過度撓み規制部６６Ａを含むものの第２の端子金具用収容室６１Ｂにおける前壁を除く範囲に形成されている。この凹状部分６２ａは、各撓み空間６５に連通して形成されている。
【００５８】
リテーナ装着凹部６２における溝状部分６２ｂは、高さ方向について第１のランス６４Ａとほぼ同じ位置から第２の端子金具用収容室６１Ｂとほぼ同じ位置までの範囲に形成され、前方から見てフード部５０の内周面に沿って屈曲した形状とされる。詳しくは、溝状部分６２ｂにおける上部は、幅方向について第１のランス６４Ａ及び第１の撓み空間６５Ａに対して高さ方向について重なるとともに、幅方向について側方位置に配される。溝状部分６２ｂにおける下部は、第１の端子金具用収容室６１Ａと高さ方向について隣り合うとともに、第２の端子金具用収容室６１Ｂに対して幅方向について側方位置に配される。
【００５９】
溝状部分６２ｂの周縁には、図１６及び図２６に示すように、フロントリテーナ４３を取付状態に保持するための第１リテーナ保持部７０及び第２リテーナ保持部７１が設けられている。第１リテーナ保持部７０は、溝状部分における上縁の前端位置にて下方へ突出して設けられている。一方、第２リテーナ保持部７１は、溝状部分６２ｂにおける下縁のうち第１リテーナ保持部７０よりも後ろ寄りの位置にて斜め上方へ突出して設けられている。以下、フロントリテーナ４３について説明する。
【００６０】
＜フロントリテーナ＞
フロントリテーナ４３は、合成樹脂製とされ、図２２ないし図２５に示すように、全体としてリテーナ装着凹部６２に沿って門形をなしており、幅方向に沿って横長な主板７２と、主板７２の後面における両側端部から後方へ延出する一対の側板７３と、主板７２の後面における中間部分から後方へ突出する複数の撓み規制部７４と、主板７２の上縁から上方へ突出する操作部７５とから構成される。このうち、主板７２は、リテーナ装着凹部６２における凹状部分６２ａに適合した形状とされ、第２の端子金具用収容室６１Ｂの前壁を挿通可能な挿通孔７２ａが前後に貫通して形成されている。
【００６１】
撓み規制部７４は、フロントリテーナ４３がハウジング４１に装着されたときにランス６４の撓み空間６５内に進入することでランス６４の撓み変形を規制可能とされる。撓み規制部７４は、主板７２において幅方向に離間した位置に３つ設けられており、中央の撓み規制部７４がハウジング４１における第２の撓み空間６５Ｂに対応して比較的高い位置に配されるのに対し、両側の撓み規制部７４がハウジング４１における両第１の撓み空間６５Ａに対応して比較的低い位置に配されている。各過度撓み規制部７４における対応する各ランス６４との対向面は、各ランス６４の外面形状に沿った傾斜面とされている。この傾斜面は、主板７２における各過度撓み規制部７４に隣接した縁部に連続して形成されている。
【００６２】
両側板７３は、リテーナ装着凹部６２の溝状部分６２ｂの形状に合わせて、前方から見て途中で鈍角をなすよう屈曲した形状とされる。詳しくは、両側板７３は、上部が高さ方向に沿って真っ直ぐなのに対して下部が高さ方向に対して傾斜している。両側板７３における上縁及び下縁には、図２５及び図２６に示すように、ハウジング４１側の第１リテーナ保持部７０及び第２リテーナ保持部７１に対して係止可能な第１係止部７６及び第２係止部７７がそれぞれ形成されている。第１係止部７６は、側板７３の上縁における比較的前寄りの位置に設置されるのに対し、第２係止部７７は、側板の下縁において比較的後ろ寄りの位置に設置されている。
【００６３】
操作部７５は、図２２及び図２３に示すように、ハウジング４１に装着された状態のフロントリテーナ４３を治具（図示せず）によって移動操作するためのものであって、主板７２における幅方向略中央位置から上方へ突出して形成されている。操作部７５は、中央の第２のランス６４Ｂに対応した撓み規制部７４と高さ方向について隣接して配置されている。そして、操作部７５は、ハウジング４１における治具挿入溝部６９内に嵌合可能とされる（図３２）。操作部７５の高さ寸法は、第１の端子金具用収容室６１Ａとほぼ同じ高さ寸法の治具挿入溝部６９よりも低く設定されている。これにより、治具挿入溝部６９のうち操作部７５が嵌合される部分よりも上側部分に治具を前方から挿入できるようになっている。
【００６４】
フロントリテーナ４３は、ハウジング４１に対して前後に異なる２位置に選択的に保持されるようになっている。詳しくは、フロントリテーナ４３が端子収容部４９から前方に突き出した状態に取り付けられると、図２８に示すように、第１係止部７６の前面が第１リテーナ保持部７０の後面に係止することで保持がなされる。このとき、各撓み規制部７４は、図２９に示すように、各撓み空間６５の前方に退避しており、各ランス６４の撓み変形、つまり端子金具４２の挿抜が許容されている。この取付位置が仮係止位置とされる。この仮係止位置では、各撓み規制部７４と対応する各ランス６４との間には所定の隙間が確保されており、その隙間に前方からランス６４を強制的に解除操作するための治具（図示せず）が挿入可能とされる（図３０）。一方、フロントリテーナ４３が装着凹部６２内に嵌り込み、フロントリテーナ４３及び端子収容部４９の前端面がほぼ面一となった状態に取り付けられると、図３１に示すように、第２係止部７７の前面が第２リテーナ保持部７１の後面に係止することで保持がなされる。このとき、各撓み規制部７４は、図３２に示すように、各撓み空間６５内に進入して各ランス６４の撓み変形を規制する。この取付位置が本係止位置とされる。
【００６５】
＜分割アース端子及び分割アース端子用収容室＞
次に、分割アース端子４４及び分割アース端子用収容室６３について詳しく説明する。分割アース端子４４は、図３５ないし図４０に示すように、導電性を有する金属板をプレス成形などすることで所定形状に形成されている。分割アース端子４４は、上段側の２本の端子金具４２をブラケットＢに接続する２極用のものと、下段側の１本の端子金具４２をブラケットＢに接続する１極用のものとの２種類があり、それぞれが端子収容部４９に形成された各分割アース端子用収容室６３内に個別に収容される。なお、以下では分割アース端子４４及び分割アース端子用収容室６３を区別する場合には、２極用のものの符号に添え字Ａを、１極用のものの符号に添え字Ｂを付し、区別せずに総称する場合には、符号に添え字を付さないものとする。
【００６６】
＜分割アース端子の共通構造＞
先に、両分割アース端子４４の共通構造について説明する。分割アース端子４４は、幅方向及び前後方向に沿った本体板７８と、本体板７８を部分的に切り起こしてなる端子接触片７９と、本体板７８の側縁から屈曲されて上下方向に沿った側板８０と、側板８０から延出されるブラケット接触片８１とから構成されている。このうち、端子接触片７９が端子金具４２の外部導体用端子４５に、ブラケット接触片８１がブラケットＢにそれぞれ弾性接触可能とされる。
【００６７】
本体板７８は、図３６及び図３９に示すように、前後の長さ寸法及び幅寸法が共に端子収容部４９よりも短く、平面視矩形状をなしている。本体板７９における両側縁には、抜け止め片８２が一対切り起こして形成されており、これら抜け止め片８２が分割アース端子用収容室６３の内壁面に食い込むことで、分割アース端子４４をハウジング４１から抜け止め状態に保持できるようになっている。
【００６８】
端子接触片７９は、図３６，図３７，図３９及び図４０に示すように、本体板７８に前方へ開口する一対のスリットを入れるとともに、両スリット間の部分をさらに前方へ延出させてなる板片を折り曲げることで、片持ち状に形成されている。従って、本体板７８には、端子接触片７９を切り起こすのに伴って端子接触片７９及び両スリットの幅寸法を足した大きさの幅の切り欠き８３が形成されることになる。この切り欠き８３は、本体板７８を平面に見て前後方向に沿って細長い矩形状をなすとともに、前方へ開放する形態とされる。
【００６９】
端子接触片７９は、本体板７８から側板８０と同方向（取付状態ではコネクタ４０の径方向内側）に突出するよう斜めに立ち上げられて前方（切り欠き８３の開口側）へ向けて延出してから、本体板７８の前端位置で本体板７８側へ折り返されており、その折返部７９ａが端子金具４２との接点となっている。従って、端子接触片７９は、前後方向について切り欠き８３と重なる位置に配されている。言い換えると、端子接触片７９は、切り欠き８３が形成された本体部７８と高さ方向についてずれた位置に配されるとともに、切り欠き８３上のスペースを利用して配置されていることになる。端子接触片７９は、基端部を支点として上下方向（端子金具４２の挿入方向と直交する方向）に沿って弾性変形可能とされている。端子接触片７９の自由端部における両側縁には、側方へ張り出す張出部８４が一対設けられている。両張出部８４は、端子接触片７９の自由端部を部分的に拡幅しており、その張出寸法がスリットの幅寸法よりも大きくなっている。そして、両張出部８４は、本体板７８のうち切り欠き８３の周縁部に対して当接されている。これにより、端子接触片７９の弾発力が高められるとともに過度の撓み変形が規制されるようになっている。
【００７０】
また、本体板７８のうち、上記した切り欠き８３よりも後方位置には、図３５，図３６，図３８及び図３９に示すように、本体板７８を部分的に切り起こすことで、がたつき規制部８５が設けられている。がたつき規制部８５は、幅方向について切り欠き８３の両側に対応して一対設けられている。がたつき規制部８５は、本体板７８から端子接触片７９と同方向に立ち上げられている。このがたつき規制部８５により本体板７８がハウジング４１に対して上下方向（端子金具４２に対して端子接触片７９が接離する方向）についてがたつくのが規制可能とされる。
【００７１】
側板８０は、図３５及び図３８に示すように、本体板７８の側縁における後端部から突出する板片をほぼ直角に屈曲させることで、上下方向に沿って延びる形態に形成されており、前方または後方から見て本体板と側板８０とがＬ字型をなしている。側板８０は、上下方向に沿った細長い片状をなしており、その前縁からブラケット接触片８１が前方へ延出して設けられている。
【００７２】
ブラケット接触片８１は、図３６及び図３９に示すように、端子接触片７９と同様に後端側が基端、前端側が自由端とされる片持ち状に形成されている。ブラケット接触片８１は、側板８０から本体板７８側とは反対側（取付状態ではコネクタ４０の径方向外側）に突出するよう立ち上げられて途中に頂点を有する、なだらかな略山形をなしており、その頂点部分が接点部とされる。このブラケット接触片８１の自由端部は、端子接触片７９とは異なって弾性変形時にも本体板７８や側板８０とは当接不能とされる。ブラケット接触片８１は、基端部を支点に幅方向（ブラケットＢの挿入方向と直交する方向、端子金具４２の積み重なり方向と直交する方向）に沿って弾性変形可能とされている。ブラケット接触片８１におけるブラケットＢとの接触面である外面は、図３５及び図３８に示すように、両側部がテーパ状に形成されるとともに中央部が両側部よりも外側（取付状態ではブラケットＢ側）に突出している。また、ブラケット接触片８１は、端子接触片７９よりも幅広に形成されている。
【００７３】
＜分割アース端子の個別構造＞
続いて、両分割アース端子４４Ａ，４４Ｂの個別構造について説明する。２極用の分割アース端子４４Ａでは、端子接触片７９Ａ及び切り欠き８３Ａが２つずつ設置されているのに対し（図３６）、１極用の分割アース端子４４Ｂでは、端子接触片７９Ｂ及び切り欠き８３Ｂが１つずつ設置されている（図３９）。それに伴い、２極用の分割アース端子４４Ａの本体板７８Ａは、幅寸法が１極用の分割アース端子４４Ｂの本体板７８Ｂよりも大きく設定されている（図３６及び図３９）。２極用の分割アース端子４４Ａでは、２つずつの端子接触片７９Ａ及び切り欠き８３Ａが本体板７８Ａにおいて幅方向についてほぼ対称となる位置に設置されているのに対し（図３６）、１極用の分割アース端子４４Ｂでは、端子接触片７９Ｂ及び切り欠き８３Ｂが本体板７８Ｂの中心から側板８０Ｂ側とは反対側に偏った位置に設置されている（図３９）。
【００７４】
＜分割アース端子用収容室の共通構造＞
次に、両分割アース端子用収容室６３の共通構造について説明する。分割アース端子用収容室６３は、図１７に示すように、端子収容部４９において後方へ開口する溝状に形成され、各端子金具用収容室６１よりもコネクタ４０の径方向外側で、且つブラケット用収容室５１ａよりもコネクタ４０の径方向内側に配されている。分割アース端子用収容室６３は、対応する分割アース端子４４の外形に合わせて後方から見て略Ｌ字型をなしており、幅方向に沿って延びるとともに本体板７８が収容される本体板収容部分８６と、上下方向に沿って延びるとともに側板８０が収容される側板収容部分８７とを繋げた構成とされる。
【００７５】
端子収容部４９のうち、分割アース端子用収容室６３の本体板収容部分８６と隣接する端子金具用収容室６１との間には、両収容室６１，６３同士を連通させるとともに、端子接触片７９の端子金具用収容室６１内への進入を許容する端子接触片用連通溝部８８がそれぞれ後方へ開口して設けられている。一方、端子収容部４９のうち、分割アース端子用収容室６３の側板収容部分８７とブラケット用収容室５１ａとの間には、両収容室５１ａ，６３同士を連通させるとともに、ブラケット接触片８１のブラケット用収容室５１ａ内への進入を許容するブラケット接触片用連通溝部８９がそれぞれ後方へ開口して設けられている。
【００７６】
＜分割アース端子の位置決め構造＞
そして、分割アース端子用収容室６３における本体板収容部分８６の周面のうち、端子接触片用連通溝部８８に臨む（対向する）位置には、図１７，図４１及び図４３に示すように、取り付けられる分割アース端子４４を位置決めするための位置決め部９０が設けられている。位置決め部９０は、幅方向について端子接触片用連通溝部８８とほぼ同じ位置に配されており、分割アース端子４４における端子接触片７９及び切り欠き８３と対応した位置に配置されている。従って、分割アース端子４４を装着すると、位置決め部９０が切り欠き８３内に嵌合されるようになっており、これにより分割アース端子４４が分割アース端子用収容室６３に対して幅方向について位置決めされるようになっている。そして、それにより、端子接触片７９が端子接触片用連通溝部８８及び端子金具４２に対して幅方向について位置決めされる。位置決め部９０は、本体板収容部分８６における幅方向に沿った面から端子接触片用連通溝部８８側に突出するとともに前後方向に沿って延びるリブ状をなしており、その前端部が本体板収容部分８６の前縁に連結されている。位置決め部９０の後端部は、ハウジング４１の後端位置よりは前寄りに配されている。位置決め部９０の長さ寸法は、本体板７８における切り欠き８３の長さ寸法より少し短く設定されている。
【００７７】
また、端子接触片用連通溝部８８と本体板収容部分８６との間には、図１７に示すように、端子接触片７９の張出部８４の挿通を許容する張出部挿通溝部９１が段付き状に形成されている。張出部挿通溝部９１は、端子接触片用連通溝部８８よりも一段幅広に形成されており、その幅寸法は端子接触片７９のうち張出部８４が形成された拡幅部分よりも少し大きく設定されている。この張出部挿通溝部９１の周縁には、本体板７８から立ち上がるがたつき規制部８５が当接可能とされ、それにより高さ方向について本体板７８及び端子接触片７９のがたつきを規制可能とされる。さらには、各本体板収容部分８６の周面のうち位置決め部９０の設置面とは反対側の面には、一対のリブ９２が設けられている。リブ９２は、断面円弧状をなすとともに前後方向に沿って延出する形態とされる。リブ９２は、本体板７８が本体板収容部分８６内に取り付けられたときに本体板７８に対して当接（圧接）可能とされ、それにより本体板７８をがたつき規制した状態に支持できるようになっている。
【００７８】
＜分割アース端子用収容室の個別構造＞
続いて、各分割アース端子用収容室６３の個別構造について詳しく説明する。２極用の分割アース端子用収容室６３Ａは、端子収容部４９のうち上端部と図１７に示す右側（ブラケット取付部５１側）の側端部の上部とにわたる範囲に形成されている。詳しくは、２極用の分割アース端子用収容室６３Ａは、本体板収容部分８６Ａが上段側の両端子金具用収容室６１Ａよりも上側、つまりコネクタ４０の径方向外側に配され、側板収容部分８７Ａが上段の同図右側の端子金具用収容室６１Ａとブラケット用収容室５１ａとの間に配されている。端子接触片用連通溝部８８Ａは、上段側の両端子金具用収容室６１Ａに対応して一対形成されている。また、位置決め部９０Ａについても両端子接触片用連通溝部８８Ａに対応して一対形成されている。ブラケット接触片用連通溝部８９Ａは、端子収容部４９の上部に配された側板収容部分８７Ａとブラケット用収容室５１ａの上部とを連通させている。また、リブ９２Ａは、本体板収容部分８６Ａにおける両端位置に設置されている。
【００７９】
一方、１極用の分割アース端子用収容室６３Ｂは、端子収容部４９のうち下端部と図１７に示す右側（ブラケット取付部５１側）の側端部の下部とにわたる範囲に形成されている。詳しくは、１極用の分割アース端子用収容室６３Ｂは、本体板収容部分８６Ｂが下段側の端子金具用収容室６１Ａよりも下側、つまりコネクタ４０の径方向外側に配され、側板収容部分８７Ｂが下段の端子金具用収容室６１Ｂとブラケット用収容室５１ａとの間に配されている。端子接触片用連通溝部８８Ｂは、下段側の端子金具用収容室６１Ｂに対応して１つ形成されている。また、位置決め部９０Ｂについても端子接触片用連通溝部８８Ｂに対応して１つ形成されている。ブラケット接触片用連通溝部８９Ｂは、端子収容部４９の下部に配された側板収容部分８７Ｂとブラケット用収容室５１ａの下部とを連通させている。また、リブ９２Ｂは、本体板収容部分８６Ｂのうち張出部挿通溝部９１に隣接する位置に設置されている。さらには、同様のリブ９２Ｂが側板収容部分８７Ｂにも１つ設置されている。
【００８０】
＜仕切り部＞
ところで、両分割アース端子用収容室６３とブラケット用収容室５１ａとの間には、既述したようにブラケット接触片用連通溝部８９が形成されて互いが連通されているのであるが、その連通部分には、各収容室５１ａ，６３に取り付けられる分割アース端子４４とブラケットＢとを仕切るための仕切り部９３が残されている。仕切り部９３は、両分割アース端子用収容室６３の側板収容部分８７間を仕切る基部９３ａと、基部９３ａの先端から上下に張り出すとともに両側板収容部分８７とブラケット用収容室５１ａとを仕切る一対の張出部９３ｂとからなり、全体として後方から見て略Ｔ字型をなしている。
【００８１】
仕切り部９３のうち、基部９３ａが両側板収容部分８７の側壁を構成するのに対し、両張出部９３ｂは、両側板収容部分８７の天井壁及びブラケット用収容室５１ａの底壁を構成している。両張出部９３ｂは、ブラケット接触片８１の端部に近接する位置にまで張り出しており、ブラケット接触片８１を避けた位置に配置されている（図４６）。仕切り部９３は、図１７及び図１８に示すように、分割アース端子用収容室６３及びブラケット用収容室５１ａの開口方向である前後方向に沿って延出する突条状をなしており、その後端部がハウジング４１の後端部（分割アース端子４４やブラケットＢの取付方向手前側端部）に配されるとともにそこで後方外部に露出している。
【００８２】
＜作用の説明＞
本実施形態は以上のような構造であり、続いてその作用を説明する。コネクタ４０及び相手コネクタ１０に関してそれぞれ組み付け作業を行った後、両コネクタ１０，４０の嵌合作業を行う。
【００８３】
＜相手コネクタの組み付け作業＞
先に相手コネクタ１０の組み付け作業について説明する。まず、図１０に示すように、相手ハウジング１１に対してフロントリテーナ１３を仮係止位置に装着する。相手ハウジング１１の各相手端子収容室１９内に、後方から同軸電線Ｗの端末に接続した各相手端子金具１２を挿入すると、スタビライザ１６がスタビライザ挿通溝２３に挿通されることで、相手端子金具１２が周方向について位置決めされる（回り止めされる）とともにその挿入動作（前進動作）が円滑なものとなる。
【００８４】
挿入過程では、相手端子金具１２によってランス２０が一旦弾性変形され、相手端子金具１２が正規深さに達すると、図１１に示すように、ランス２０が復元してランス係止孔１５に係止することで、相手端子金具１２が相手ハウジング１１から抜け止め状態に保持される。その後、フロントリテーナ１３を本係止位置へ押し込むと、図１３に示すように、各撓み規制部２９が対応する各撓み空間２１内に進入することで、各相手端子金具１２に係止した状態の各ランス２０が撓み変形するのが規制される。これにより、相手端子金具１２に対する保持力を高めることができる。
【００８５】
＜コネクタの組み付け作業（分割アース端子の取り付け作業）＞
続いて、コネクタ４０の組み付け作業について説明する。ハウジング４１の両分割アース端子用収容室６３に対応する分割アース端子４４を個別に取り付ける作業を行う。ハウジング４１の後方から分割アース端子４４を分割アース端子用収容室６３内に挿入する際には、ハウジング４１の後端位置に配された仕切り部９３の後端部によってガイド（位置決め）されることで、側板８０がブラケット用収容室５１ａ内に進入することなく確実に側板収容部分８７内に進入する。
【００８６】
一方、挿入過程では分割アース端子４４の本体板７８については、図４１及び図４３に示す状態から、切り欠き８３内に位置決め部９０が嵌合され、切り欠き８３の側縁に位置決め部９０の両側面が摺接されることで、本体板７８が本体板収容部分８６に対して幅方向について位置決めされる。このとき、端子用接触片７９が対応する端子接触片用連通溝部８８に対して同様に位置決めされる。
【００８７】
取付状態では、図２９及び図４６に示すように、各端子接触片７９が対応する各端子金具用収容室６１内に進入して待ち受け状態とされるとともに、両ブラケット接触片８１がブラケット用収容室５１ａ内に進入し上下に並んだ状態で待ち受け状態とされる。各端子接触片７９は、ランス６４と対向する位置、つまり約１８０度の角度間隔を空けた位置に配されている。両ブラケット接触片８１は、ブラケット用収容室５１ａにおいて上下にほぼ対称となる位置に配されており、中央に配されたブラケット用ロック片５１ｅとは上下にほぼ同じ距離だけずれた位置に配されている。この取付状態では、本体板７８の切り欠き８３内に位置決め部９０が嵌合されることで、端子用接触片７９が対応する端子接触片用連通溝部８８に対して幅方向についてがたつきなく保持されるとともに、位置決め部９０が切り欠き８３の周縁に当接されることで、本体板７８の補強が図られる。また、この状態では各抜け止め片８２が分割アース端子用収容室６３の内壁面に食い込むことで、分割アース端子４４がハウジング４１から抜け止め状態に保持される。
【００８８】
＜コネクタの組み付け作業（フロントリテーナ及び端子金具の取り付け作業）＞
上記のように分割アース端子４４の取り付け作業を行う一方で、図２９に示すように、ハウジング４１に対してフロントリテーナ４３を仮係止位置に装着する作業を行う。なお、フロントリテーナ４３の装着作業を分割アース端子４４の取り付け作業よりも先に行っても構わない。その後、各同軸電線Ｗの端末に接続された各端子金具４２を、各端子金具用収容室６１内に挿入する作業を行う。図２９に示す状態から、ハウジング４１の後方から端子金具４２を端子金具用収容室６１内に挿入すると、スタビライザ４６がスタビライザ挿通溝６７に、突起４８が突起挿通溝６８にそれぞれ挿通されることで、端子金具４２が周方向について位置決めされる（回り止めされる）とともにその挿入動作（前進動作）が円滑なものとなる（図４６参照）。
【００８９】
挿入過程では、端子金具４２によってランス６４が一旦弾性変形されるとともに、端子接触片７９も弾性変形される。そして、端子金具４２が正規深さに達すると、図３０に示すように、ランス６４が復元してランス係止部４７に係止することで、端子金具４２がハウジング４１から抜け止め状態に保持される。その後、フロントリテーナ４３を本係止位置へ押し込むと、図３２に示すように、各撓み規制部７４が対応する各撓み空間６５内に進入することで、各端子金具４２に係止した状態の各ランス６４が撓み変形するのが規制される。これにより、端子金具４２に対する保持力を高めることができる。
【００９０】
この取付状態では、図３０及び図４６に示すように、コネクタ４０の径方向外側（積み重なり方向の外側）から端子接触片７９が端子金具４２における外部導体用端子４５の底板に対して弾性接触している。従って、端子金具４２は、ランス６４とその反対側に配された端子接触片７９との間に挟まれ、両者６４，７９によって弾性的に受けられる。なお、端子接触片７９は、既述したように位置決め部９０によって端子金具４２に対して幅方向について位置決めされているので、良好な接触状態を得ることができる。
【００９１】
＜コネクタのブラケットへの取り付け作業＞
続いて、ハウジング４１をブラケットＢに取り付ける作業を行う。図１８及び図３３に示す状態から、ハウジング４１の後方からブラケットＢをブラケット用収容室５１ａ内に挿入する際には、ハウジング４１の後端位置に配された仕切り部９３の後端部によってガイド（位置決め）されることで、ブラケットＢが側板収容部分８７内に進入することなく確実にブラケット用収容室５１ａ内に進入する。
【００９２】
ブラケットＢが挿入される過程では、ブラケットＢによってブラケット用ロック片５１ｅが一旦外向きに弾性変形されるとともに、両ブラケット接触片８１も内向きに弾性変形される。そして、ブラケットＢが正規深さに達すると、図３４に示すように、ロック突部がロック孔Ｂａ内に進入するとともにブラケット用ロック片５１ｅが復元し、ロック突部がロック孔Ｂａの孔縁に対して係止することで、ブラケットＢに対してハウジング４１が抜け止め状態に保持される。この取付状態では、図４６に示すように、上下（端子金具４２の積み重なり方向）に並んだ両ブラケット接触片８１がブラケットＢのうちコネクタ４０の径方向内側を向いた（ブラケット用ロック片５１ｅ側とは反対側の）同一板面に対して弾性接触されている。両ブラケット接触片８１は、ブラケットＢに対してほぼ上下対称となる位置で接触されている。
【００９３】
＜両コネクタの嵌合作業＞
次に、ブラケットＢに取り付けたコネクタ４０に対して相手コネクタ１０を嵌合接続する作業を行う。図４７に示す状態から、ハウジング４１のフード部５０内に相手ハウジング１１を嵌合させる。このとき、仮に相手ハウジング１１がハウジング４１に対して嵌合面を傾けた姿勢で嵌合されようとした場合には、相手ハウジング１１がフード部５０の内周面に干渉することで、フード部５０に変形が生じて上記斜め嵌合が許容される可能性がある。ところが、フード部５０は、補強部５９によってロック保護部５３に連結されて補強が図られているから、フード部５０に変形が生じ難くなっており、これにより斜め嵌合を規制することができる。また、ハウジング４１に対して相手ハウジング１１が正規とは上下逆向きの姿勢で嵌合されようとした場合には、フード部５０の内周面と相手ハウジング１１の外周面とが嵌合方向から見て上下非対称形状となっているから、相手ハウジング１１がフード部５０の前端部に干渉し、不正な姿勢での嵌合が規制される。
【００９４】
ハウジング４１に対して正規の姿勢で嵌合された相手ハウジング１１が所定深さに達すると、図４８に示すように、ロックアーム５２のロック係止部５５がロック部１８に乗り上げるとともに、アーム本体５４が弾性変形する。そして、相手ハウジング１１が正規深さまで嵌合されると、図４９に示すように、ロック係止部５５がロック部１８を乗り越えて溝部１８ａ内に進入するとともにアーム本体５４が復元し、ロック係止部５５の後面がロック部１８の後面に係止される。これにより、両ハウジング１１，４１が正規の嵌合状態から離脱不能に保持される。
【００９５】
この正規嵌合時には、相手端子金具１２の外部導体用端子１４内に端子金具４２の外部導体用端子４５が嵌合されて両突起１７が端子金具４２の外部導体用端子４５の外周面に接触されるとともに、端子金具４２の内部導体用端子が相手端子金具１２の内部導体用端子に対して接触される。これにより、両コネクタ１０，４０のアース線同士が導通接続されるとともに、信号線同士が導通接続される。この状態では、両分割アース端子４４の各端子接触片７９が各端子金具４２の外部導体用端子４５に、両ブラケット接触片８１がブラケットＢに、それぞれ接触しているので、両コネクタ１０，４０のアース線が分割アース端子４４を介してブラケットＢに対して電気的に接続され、もってアースをとることができる。
【００９６】
＜両コネクタの分解作業＞
ところで、メンテナンスなどの事情により、両コネクタ１０，４０を取り外し、各コネクタ１０，４０から各端子金具１２，４２を取り外す作業を行う場合がある。その場合には、ロックアーム５２の操作部５６を押圧操作してロック部１８との係止状態を解除しつつ、相手ハウジング１１をフード部５０から引き離すようにする（図４７）。両コネクタ１０，４０を取り外した後、相手コネクタ１０においては、フロントリテーナ１３の操作溝部３２に治具を引っ掛け、フロントリテーナ１３を前方へ移動させて仮係止位置とし（図１１）、その状態で治具によってランス２０を強制的に撓み変形させて相手端子金具１２に対する係止状態を解除しつつ同軸電線Ｗを引っ張って相手端子金具１２を引き抜く（図１０）。一方、コネクタ４０においては、ブラケットＢから取り外した後、ハウジング４１の治具挿入溝部６９内に前方から治具を挿入し、その治具挿入溝部６９に臨んで配されるフロントリテーナ４３の操作部７５に治具を引っ掛ける。そして、治具を前方へ操作することで、フロントリテーナ４３を仮係止位置に移動させ（図３０）、その状態で治具によってランス６４を強制的に撓み変形させて端子金具４２に対する係止状態を解除しつつ同軸電線Ｗを引っ張って端子金具４２を引き抜く（図２９）。
【００９７】
＜分割アース端子の転用方法＞
また、上記したコネクタ４０とは別に、使用する同軸電線Ｗ及び端子金具４２の数が異なるコネクタが必要な場合には、そのハウジングの構造を上記コネクタ４０のハウジング４１と部分的に共通させることで、上記コネクタ４０に用いた分割アース端子４４を共用することが可能となっている。このようにすれば、極数が異なる複数種類のコネクタにおいて分割アース端子４４を共用化することができるので、仮にコネクタの種類毎に専用部品として分割アース端子を製造した場合と比較すると、低コスト化を図ることができる。
【００９８】
以上説明したように本実施形態によれば、コネクタ４０が、複数本の端子金具４２と、各端子金具４２を収容可能なハウジング４１と、ハウジング４１において幅方向に複数並んで設けられるとともに端子金具４２を挿入可能な第１の端子金具用収容室６１Ａと、ハウジング４１において第１の端子金具用収容室６１Ａ群と高さ方向について隣り合う位置で且つ幅方向について第１の端子金具用収容室６１Ａ間に配設されるとともに端子金具４２を挿入可能な第２の端子金具用収容室６１Ｂと、第１の端子金具用収容室６１Ａ内に設けられるとともに挿入された端子金具４２に係止可能とされ且つ第２の端子金具用収容室６１Ｂの側方に確保された第１の撓み空間６５Ａ内に撓み変形可能な第１のランス６４Ａと、第２の端子金具用収容室６１Ｂ内に設けられるとともに挿入された端子金具４２に係止可能とされ且つ第１の端子金具用収容室６１Ａ間に確保された第２の撓み空間６５Ｂ内に撓み変形可能な第２のランス６４Ｂとを備える構成としたから、第１の撓み空間６５Ａが第２の端子金具用収容室６１Ｂと、第２の撓み空間６５Ｂが第１の端子金具用収容室６１Ａと、それぞれ高さ方向について重なる分だけ全体が小型になる。
【００９９】
また、同様に相手コネクタ１０が、複数本の相手端子金具１２と、各相手端子金具１２を収容可能な相手ハウジング１１と、相手ハウジング１１において幅方向に複数並んで設けられるとともに相手端子金具１２を挿入可能な第１の相手端子収容室１９Ａと、相手ハウジング１１において第１の相手端子収容室１９Ａ群と高さ方向について隣り合う位置で且つ幅方向について第１の相手端子収容室１９Ａ間に配設されるとともに相手端子金具１２を挿入可能な第２の相手端子収容室１９Ｂと、第１の相手端子収容室１９Ａ内に設けられるとともに挿入された相手端子金具１２に係止可能とされ且つ第２の相手端子収容室１９Ｂの側方に確保された第１の撓み空間２１Ａ内に撓み変形可能な第１のランス２０Ａと、第２の相手端子収容室１９Ｂ内に設けられるとともに挿入された相手端子金具１２に係止可能とされ且つ第１の相手端子収容室１９Ａ間に確保された第２の撓み空間２１Ｂ内に撓み変形可能な第２のランス２０Ｂとを備える構成としたから、第１の撓み空間２１Ａが第２の相手端子収容室１９Ｂと、第２の撓み空間２１Ｂが第１の相手端子収容室１９Ａと、それぞれ高さ方向について重なる分だけ全体が小型になる。
【０１００】
また、ハウジング４１には、第１の撓み空間６５Ａ及び第２の撓み空間６５Ｂ内に進入することで第１のランス６４Ａ及び第２のランス６４Ｂの撓みを規制可能な撓み規制部７４を備えるフロントリテーナ４３が端子金具４２の挿入方向に沿って着脱可能とされており、ハウジング４１には、フロントリテーナ４３を移動操作するための治具を挿入可能な治具挿入溝部６９が、第１の端子金具用収容室６１Ａ間に位置して設けられているから、ハウジング４１における第１の端子金具用収容室６１Ａ間の空間を有効に利用することができ、小型化に好適となる。
【０１０１】
また、治具挿入溝部６９が第２の撓み空間６５Ｂに連通して形成されるとともに、フロントリテーナ４３には、治具挿入溝部６９に臨んで配されるとともに治具によって操作可能な操作部７５が設けられているから、仮に治具挿入溝部が第２の撓み空間と非連通とされた場合と比べると、操作部７５が撓み規制部７４における第２の撓み空間６５Ｂ内に進入する部分と近接した位置に配されるから、高さ方向についてフロントリテーナ４３を小型に保つことができる。
【０１０２】
また、ハウジング４１には、第２のランス６４Ｂに対して第２の撓み空間６５Ｂを空けて対向するとともに第２のランス６４Ｂが過度に撓み変形するのを規制可能な第２の過度撓み規制部６６Ｂが設けられており、治具挿入溝部６９が第２の過度撓み規制部６６Ｂを部分的に切り欠いて形成されているから、第２のランス６４Ｂを過度撓み規制する機能を確保した上で、治具挿入溝部６９を設置することができ、小型のまま高機能化を図ることができる。
【０１０３】
また、第２の過度撓み規制部６６Ｂが治具挿入溝部６９の両側に一対確保されているから、第２のランス６４Ｂに対する過度撓み規制機能を良好に発揮させることができる。
【０１０４】
また、ハウジング４１には、フロントリテーナ４３を装着可能なリテーナ装着凹部６２が設けられ、このリテーナ装着凹部６２が、高さ方向について第１の端子金具用収容室６１Ａと隣り合うとともに第２の端子金具用収容室６１Ｂの側方に位置して配されているから、ハウジング４１における第２の端子金具用収容室６１Ｂの側方の空間を有効に利用することができ、小型化に好適となる。なお、相手コネクタ１０についても同様の構成であり、同様の効果を得ることができる。
【０１０５】
また、リテーナ装着凹部６２は、第１の撓み空間６５Ａの側方に位置して配されているから、フロントリテーナ４３のうちリテーナ装着凹部６２に装着される部分が、撓み規制部７４における第１の撓み空間６５Ａに進入する部分の側方に隣接して配されるから、高さ方向についてフロントリテーナ４３を小型にまとめることができる。なお、相手コネクタ１０についても同様の構成であり、同様の効果を得ることができる。
【０１０６】
また、ハウジング４１には、相手ハウジング１１が嵌合可能とされるとともにその相手ハウジング１１を嵌合状態に保持するためのロックアーム５２が設けられており、このロックアーム５２は、第１の端子金具用収容室６１Ａ間に配されるとともに第１の端子金具用収容室６１Ａと高さ方向について部分的に重なるよう形成されているから、ロックアーム５２が第１の端子金具用収容室６１Ａと高さ方向について重なった分だけ、高さ方向についての小型化を図ることができる。
【０１０７】
また、ハウジング４１には、相手ハウジング１１が嵌合可能とされており、ハウジング４１における第１の端子金具用収容室６１Ａの設置数と第２の端子金具用収容室６１Ｂの設置数とが相違しているとともに、ハウジング４１における相手ハウジング１１との嵌合周面が嵌合方向から見て非対称形状となっているから、ハウジング４１に対して相手ハウジング１１を嵌合する際、相手ハウジング４１が正規とは異なる姿勢だった場合には、嵌合周面が嵌合方向から見て非対称形状となっているので、嵌合を規制することができる。仮に嵌合周面にリブを設置するなどして正規とは異なる姿勢での嵌合を規制するようにした場合と比べると、小型化に好適となる。
【０１０８】
＜他の実施形態＞
本発明は上記記述及び図面によって説明した実施形態に限定されるものではなく、例えば次のような実施形態も本発明の技術的範囲に含まれる。
【０１０９】
（１）上記した実施形態では、端子金具用収容室（相手端子収容室）が上段側に２室、下段側に１室、計３室設置されたものを示したが、端子金具用収容室（相手端子収容室）が４室以上設置されるものにも本発明は適用可能である。その場合、第１，第２の端子金具用収容室（相手端子収容室）の設置数が同じとなっても異なっても構わない。
【０１１０】
（２）上記した実施形態では、端子金具用収容室（相手端子収容室）が上下２段に積み重なるものを示したが、端子金具用収容室（相手端子収容室）が上下３段以上に積み重なるものにも本発明は適用可能である。
【０１１１】
（３）上記した実施形態では、コネクタにおいて、治具挿入溝部が第２の過度撓み規制部を分断して第２の撓み空間に連通して形成された場合を示したが、治具挿入溝部が第２の撓み空間とは非連通とされるものも本発明に含まれる。このようにすれば、第２の過度撓み規制部の強度が高まるとともに、第２のランスを全幅にわたって受けることができて過度撓み規制機能を高めることができる。
【０１１２】
（４）上記した実施形態では、コネクタにおいて、治具挿入溝部によって第２の過度撓み規制部が２つに分断される場合を示したが、治具挿入溝部の設置位置または形成幅を調整することで、第２の過度撓み規制部が片側にのみ残されるようにしたものも本発明に含まれる。
【０１１３】
（５）上記した実施形態では、コネクタにおいて、第２の過度撓み規制部を部分的に切り欠いて治具挿入溝部が形成された場合を示したが、第２の過度撓み規制部の全域を切り欠いて治具挿入溝部が形成されるものも本発明に含まれる。
【０１１５】
（７）上記した実施形態では、コネクタ側についてのみ、治具挿入溝部が第１の端子金具用収容室間に配されるなどした場合を示したが、相手コネクタ側においても、治具挿入溝部を第１の相手端子用収容室間に配置したり、その治具挿入溝部を第２の撓み空間に連通して形成しつつフロントリテーナにその治具挿入溝部に臨む操作部を設けるようにしたり、治具挿入溝部が第２の過度撓み規制部を部分的に切り欠いて形成されるようにしたり、その治具挿入溝部が第２の過度撓み規制部を２つに分断しつつ形成されるようにしたものも本発明に含まれる。
【０１１６】
（８）上記した実施形態では、コネクタ及び相手コネクタにおいて、フロントリテーナが各撓み空間に対応した撓み規制部を個別に有する場合を示したが、複数の撓み空間に進入可能な撓み規制部を有するものも本発明に含まれる。
【０１１７】
（９）コネクタ及び相手コネクタにおいて、フロントリテーナが装着されるリテーナ装着凹部の配設位置については適宜に変更可能である。
【０１１８】
（１０）上記した実施形態では、コネクタにおいて、ロックアームが両第１の端子金具用収容室と高さ方向について部分的に重なる配置としたものを示したが、ロックアームが両第１の端子金具用収容室とは高さ方向についてずれた（重ならない）配置とされるものも本発明に含まれる。
【０１１９】
（１１）上記した実施形態では、両ハウジングにおける嵌合周面が前方から見て上下非対称形状とされた場合を示したが、左右非対称形状とされたものも本発明に含まれる。また、対称形状とされるものも本発明に含まれる。
【０１２１】
（１３）上記した実施形態では、コネクタにおいて、複数の分割アース端子を装着するものを示したが、アース端子を１つだけ装着するものも本発明に含まれる。また、アース端子を省略するとともに、外部導体などを有さない通常の被覆電線に接続した端子金具を収容するものも本発明に含まれる。
【０１２２】
（１４）上記した実施形態では、コネクタがブラケットに取り付けられる場合を示したが、ブラケットに取り付けられないタイプのコネクタにも本発明は適用可能である。
【０１２３】
（１５）上記した実施形態では、端子金具（相手端子金具）の外部導体用端子における本体部が円筒型とされる場合を示したが、例えば本体部が箱型であってもよい。
【図面の簡単な説明】
【０１２４】
【図１】本発明の一実施形態に係る相手ハウジングの正面図
【図２】相手ハウジングの背面図
【図３】相手ハウジングの平面図
【図４】相手コネクタ用のフロントリテーナの正面図
【図５】相手コネクタ用のフロントリテーナの背面図
【図６】相手コネクタ用のフロントリテーナの平面図
【図７】相手ハウジング及びフロントリテーナの側面図
【図８】相手ハウジング及びフロントリテーナの図１４のＡ−Ａ線断面図
【図９】相手ハウジングにフロントリテーナを仮係止位置に装着した状態を示す側面図
【図１０】相手ハウジングにフロントリテーナを仮係止位置に装着した状態を示す図１４のＡ−Ａ線断面図
【図１１】相手端子金具を挿入した状態を示す図１４のＡ−Ａ線断面図
【図１２】相手ハウジングにフロントリテーナを本係止位置に装着した状態を示す側面図
【図１３】相手ハウジングにフロントリテーナを本係止位置に装着した状態を示す図１４のＡ−Ａ線断面図
【図１４】相手ハウジングにフロントリテーナを装着した状態を示す正面図
【図１５】端子金具の平面図
【図１６】ハウジングの正面図
【図１７】ハウジングの背面図
【図１８】ハウジング及びブラケットの平面図
【図１９】ハウジングにおける図１６のＢ−Ｂ線断面図
【図２０】ハウジングにおける図１９のＣ−Ｃ線断面図
【図２１】ハウジングにおける図１９のＤ−Ｄ線断面図
【図２２】コネクタ用のフロントリテーナの正面図
【図２３】コネクタ用のフロントリテーナの背面図
【図２４】コネクタ用のフロントリテーナの平面図
【図２５】コネクタ用のフロントリテーナの側面図
【図２６】リテーナ装着凹部及びフロントリテーナの詳細を表す図１６及び図２３のＥ−Ｅ線断面図
【図２７】ハウジング及びフロントリテーナにおける図４５のＦ−Ｆ線断面図
【図２８】ハウジングにフロントリテーナを仮係止位置に装着した状態を示す図１６及び図２３のＥ−Ｅ線断面図
【図２９】ハウジングにフロントリテーナを仮係止位置に装着した状態を示す図４５のＦ−Ｆ線断面図
【図３０】端子金具を挿入した状態を示す図４５のＦ−Ｆ線断面図
【図３１】ハウジングにフロントリテーナを本係止位置に装着した状態を示す図１６及び図２３のＥ−Ｅ線断面図
【図３２】ハウジングにフロントリテーナを本係止位置に装着した状態を示す図４５のＦ−Ｆ線断面図
【図３３】ハウジングにブラケットを挿入する前の状態を示す図４５のＧ−Ｇ線断面図
【図３４】ハウジングにブラケットを挿入した状態を示す図４５のＧ−Ｇ線断面図
【図３５】２極用の分割アース端子の背面図
【図３６】２極用の分割アース端子の平面図
【図３７】２極用の分割アース端子の側面図
【図３８】１極用の分割アース端子の背面図
【図３９】１極用の分割アース端子の平面図
【図４０】１極用の分割アース端子の側面図
【図４１】ハウジングに２極用の分割アース端子を装着する前の状態を示す図４６のＨ−Ｈ線断面図
【図４２】ハウジングに２極用の分割アース端子を装着した状態を示す図４６のＨ−Ｈ線断面図
【図４３】ハウジングに１極用の分割アース端子を装着する前の状態を示す図４６のＩ−Ｉ線断面図
【図４４】ハウジングに１極用の分割アース端子を装着した状態を示す図４６のＩ−Ｉ線断面図
【図４５】ハウジングにフロントリテーナを装着した状態を示す正面図
【図４６】ハウジングに分割アース端子を装着した状態を示す背面図
【図４７】両コネクタを嵌合する前の状態を示す側断面図
【図４８】両コネクタを嵌合する途中の状態を示す側断面図
【図４９】両コネクタを嵌合した状態を示す側断面図
【図５０】従来例の断面図
【符号の説明】
【０１２５】
１０…相手コネクタ（コネクタ）
１１…相手ハウジング（コネクタハウジング、相手コネクタハウジング）
１２…相手端子金具（端子金具）
１９Ａ…第１の相手端子収容室（端子収容室）
１９Ｂ…第２の相手端子収容室（端子収容室）
２０Ａ…第１のランス
２０Ｂ…第２のランス
２１Ａ…第１の撓み空間
２１Ｂ…第２の撓み空間
４０…コネクタ
４１…ハウジング（コネクタハウジング）
４２…端子金具
４３…フロントリテーナ（リテーナ）
５２…ロックアーム
６１Ａ…第１の端子金具用収容室（端子収容室）
６１Ｂ…第２の端子金具用収容室（端子収容室）
６２…リテーナ装着凹部
６４Ａ…第１のランス
６４Ｂ…第２のランス
６５Ａ…第１の撓み空間
６５Ｂ…第２の撓み空間
６６Ｂ…第２の過度撓み規制部（過度撓み規制部）
６９…治具挿入溝部
７４…撓み規制部
７５…操作部
【図１】
0005119940.tif 000002
【図２】
0005119940.tif 000003
【図３】
0005119940.tif 000004
【図４】
0005119940.tif 000005
【図５】
0005119940.tif 000006
【図６】
0005119940.tif 000007
【図７】
0005119940.tif 000008
【図８】
0005119940.tif 000009
【図９】
0005119940.tif 000010
【図１０】
0005119940.tif 000011
【図１１】
0005119940.tif 000012
【図１２】
0005119940.tif 000013
【図１３】
0005119940.tif 000014
【図１４】
0005119940.tif 000015
【図１５】
0005119940.tif 000016
【図１６】
0005119940.tif 000017
【図１７】
0005119940.tif 000018
【図１８】
0005119940.tif 000019
【図１９】
0005119940.tif 000020
【図２０】
0005119940.tif 000021
【図２１】
0005119940.tif 000022
【図２２】
0005119940.tif 000023
【図２３】
0005119940.tif 000024
【図２４】
0005119940.tif 000025
【図２５】
0005119940.tif 000026
【図２６】
0005119940.tif 000027
【図２７】
0005119940.tif 000028
【図２８】
0005119940.tif 000029
【図２９】
0005119940.tif 000030
【図３０】
0005119940.tif 000031
【図３１】
0005119940.tif 000032
【図３２】
0005119940.tif 000033
【図３３】
0005119940.tif 000034
【図３４】
0005119940.tif 000035
【図３５】
0005119940.tif 000036
【図３６】
0005119940.tif 000037
【図３７】
0005119940.tif 000038
【図３８】
0005119940.tif 000039
【図３９】
0005119940.tif 000040
【図４０】
0005119940.tif 000041
【図４１】
0005119940.tif 000042
【図４２】
0005119940.tif 000043
【図４３】
0005119940.tif 000044
【図４４】
0005119940.tif 000045
【図４５】
0005119940.tif 000046
【図４６】
0005119940.tif 000047
【図４７】
0005119940.tif 000048
【図４８】
0005119940.tif 000049
【図４９】
0005119940.tif 000050
【図５０】
0005119940.tif 000051